(57)【要約】本発明は、水素及び一酸化炭素を同時に製造する方法であって、合成ガスを生成することと、それを二酸化炭素を除去することによって処理することと、水及び残留二酸化炭素を前記ガスを吸着剤床に通すことで除去することと、残った成分を、少なくとも、Ｈ2リッチの流れと、窒素及びアルゴンから選ばれる少なくとも１種の不純物を含むＣＯの流れと、メタンリッチのパージガスの流れと、フラッシュガスの流れとを形成することによって分離することとにある方法に関する。本発明の方法は、また、吸着剤床を、形成されたＨ2の流れの少なくとも１つのゼロでない部分を含む再生ガスを通すことによって再生することと、少なくともパージガス及びフラッシュガスを、合成ガス生成段階に供給するために再循環させることとにある。【選択図】      図２
2008542188.tif 000002
【特許請求の範囲】
【請求項１】
炭化水素原料から水素及び一酸化炭素を同時に製造する方法であって、
ａ）主に水素と一酸化炭素とを含むが、メタンと、二酸化炭素と、水と、窒素及びアルゴンから選択される少なくとも１種の不純物とをも含む合成ガス、例えば炭化水素改質ガスを生成する工程と、
ｂ）一次脱二酸化炭素ユニットにおいて、工程ａ）からの前記合成ガスから二酸化炭素を取り除き、二酸化炭素の流れと、二酸化炭素含有量が低減された前記合成ガスを含む流れとを形成する工程と、
ｃ）工程ｂ）からの前記合成ガス中に含まれる水及び残留二酸化炭素を、前記ガスを吸着剤床上に通すことによって除去する工程と、
ｄ）残った成分を分離して、少なくとも
ｉ）水素製品ガスの流れと、
ｉｉ）窒素及びアルゴンから選択される少なくとも１種の不純物を更に含む一酸化炭素製品ガスの流れと、
iii）メタンリッチのパージガスの流れと、
ｉｖ）水素、ＣＯ及びメタンを含むフラッシュガスの流れと
を形成する工程と
を含み、
以下の工程：
ｅ）工程ｃ）の前記吸着剤床を、少なくともゼロでない割合の前記水素リッチの流れｉ）を含む再生ガスを通すことによって再生する工程と、
ｆ）工程ａ）に供給するために、工程ｄ）からの流れiii）及びｉｖ）を再循環させる工程と
を更に含むことを特徴とする方法。
【請求項２】
流れｉ）の全て又は一部を再生ガスとして使用し、続いて前記流れの全てを、消費者の要求のための純粋な水素の流れと、ＰＳＡテールガスとを製造するために、ＰＳＡ精製ユニットで精製する請求項１記載の方法。
【請求項３】
前記ＰＳＡテールガスを、前記ガス流れiii）及びｉｖ）に添加して、工程ａ）に供給するために再循環させる請求項２記載の方法。
【請求項４】
前記流れｉ）を、消費者製品を構成する第１の部分と工程ｅ）を行うために使用される第２の部分との少なくとも２つの部分に分け、続いて、前記第２の部分を工程ａ）に供給するために再循環させることを更に特徴とする請求項１記載の方法。
【請求項５】
工程ｂ）において製造された二酸化炭素の全て又は一部分をも、工程ａ）用の供給原料に再循環させる請求項１乃至４の何れか１項記載の方法。
【請求項６】
導入された二酸化炭素を、工程ａ）に更に供給することを特徴とする請求項１乃至５の何れか１項記載の方法。
【請求項７】
低窒素含有量を有する一酸化炭素を製造する請求項１乃至６の何れか１項記載の方法であって、工程ｄ）が脱窒素工程を含まないことを特徴とする方法。
【請求項８】
１．１％未満の窒素含有量を有する一酸化炭素を製造する請求項７記載の方法であって、前記炭化水素原料が、１乃至１．５％の窒素含有量を有する天然ガスから構成されていることを特徴とする方法。
【請求項９】
請求項１乃至６の何れか１項記載の方法又は前記方法の変形である請求項７又は８記載の方法であって、前記一酸化炭素を酢酸又はポリカーボネートに変換する１つ以上の工程を更に含む方法。
【請求項１０】
水素及び一酸化炭素を同時に製造する装置であって、
−炭化水素供給源と、
−合成ガス生成ユニットと、
−合成ガスの一次脱二酸化炭素ユニットと、
−乾燥／二次脱二酸化炭素ユニットと、
−少なくとも、気体水素製品の流れ、気体一酸化炭素製品の流れ、パージガスの流れ及びフラッシュガスの流れに分離する分離ユニットとを、
−前記炭化水素供給源及び前記合成ガス生成ユニットをつなぐライン、前記合成ガス生成ユニットを前記一次脱二酸化炭素ユニットにつなぐライン、前記一次脱二酸化炭素ユニットを前記乾燥ユニットにつなぐライン及び前記乾燥ユニットを前記分離ユニットにつなぐライン、並びに
−水素及び一酸化炭素を製品として取り出す手段
と共に具備し、
前記気体水素製品の流れのゼロでない部分を前記乾燥／二次脱二酸化炭素ユニットに送るラインと、前記パージガスの流れ及び前記フラッシュガスの流れをそれぞれ前記合成ガス生成ユニット用の供給原料に送る各ラインとを含むことを特徴とする装置。
【請求項１１】
請求項２乃至９の何れか１項記載の方法を実行するために適合された又は構成された請求項１０記載の装置
【請求項１２】
前記合成ガス生成ユニットは、天然ガス又は軽質炭化水素の供給源から原料を供給され、且つ、少なくとも脱硫ユニットと、事前改質ユニットと、水蒸気改質ユニットとを具備し、前記装置は、前記分離ユニットからの複数の流れのうち、一酸化炭素の流れを除く少なくとも１つのゼロでない部分を前記脱硫ユニット及び／又は前記事前改質ユニット及び／又は改質ユニットに送るラインを含むことを特徴とする請求項１０又は１１記載の装置。
【請求項１３】
前記脱二酸化炭素ユニットからの二酸化炭素富化ガス及び／又は前記合成ガス生成ユニットに供給するための導入された二酸化炭素の少なくとも一部を圧縮する少なくとも１つの圧縮手段と、前記再循環された流れの全て又は一部を前記圧縮手段の入口に送る少なくとも１つのラインとを更に含み、前記脱二酸化炭素ユニットからの前記二酸化炭素富化ガス及び／又は前記導入された二酸化炭素の少なくとも一部を圧縮して前記合成ガス生成ユニットに供給する請求項１０乃至１２の何れか１項記載の装置。
【請求項１４】
前記合成ガス生成ユニットの前記脱硫ユニットに供給される水素を圧縮する少なくとも１つの圧縮手段と、前記再循環された流れの少なくとも一部又は全てを前記圧縮手段の入口に送る少なくとも１つのラインとを更に含み、前記合成ガス生成ユニットの前記脱硫ユニットに供給される前記水素を圧縮する請求項１０乃至１３の何れか１項記載の装置。
【請求項１５】
前記合成ガス生成ユニットに供給される前記気体炭化水素を圧縮する少なくとも１つの圧縮手段と、前記再循環された流れの全て又は一部を前記圧縮手段の入口に送る少なくとも１つのラインとを更に含み、前記合成ガス生成ユニットに供給される前記気体炭化水素を圧縮する請求項１０乃至１４の何れか１項記載の装置。
【発明の詳細な説明】
【発明の開示】
【０００１】
本発明は、水素及び一酸化炭素を同時に製造する方法、並びに、この方法を実施する装置に関する。
【０００２】
一酸化炭素及び水素を製造する方法は、２つの部分に分けられ得る：
−合成ガス（実質的に、Ｈ2、ＣＯ、ＣＨ4、ＣＯ2及びＮ2を含む混合物）の生成。様々な工業的合成ガス製造プロセスの中で、水蒸気改質、部分酸化、自熱改質などが挙げられ得、これらの中で、水蒸気改質が最も重要なプロセスと見なされ得る。改質しようとする混合物の組成に応じて、水蒸気改質の前に、しばしば、事前処理工程、特には水素化脱硫工程と、事前改質工程とを行う。残りの記載では、別段指摘しない限り、表現「合成ガスの生成」は、合成ガスを結果として生成する全ての工程を包含し、表現「合成ガス生成ユニットに供給する」（流体を）又は「（流体を）合成ガス生成ユニット用の供給原料に送る」は、合成ガス中にあるであろう成分のいくらか又は全ての流体を前記ユニットに送達することを意味する。生成ユニットに供給される流体の中では、特に、炭化水素原料、脱硫工程に供給される水素、水蒸気及び二酸化炭素を含む事前改質用及び改質工程用の酸化性流体が挙げられ得る；及び
−合成ガスの精製。これの主たる工程は、
・生成工程からの合成ガス中に含まれるＣＯ2の殆どを除去するように意図された一次脱二酸化炭素（decarbonatation）工程であって、前記脱二酸化炭素は、一般的に、合成ガスをアミンを用いて洗浄することにより達成される；
・しばしばストリッピング（epuration）とも呼ばれ、その最中にガスから水及び残留二酸化炭素を取り除く乾燥／二次脱二酸化炭素工程。この工程は、ガスを吸着剤床上に通すことで行われる。ストリッピングユニットは、一般に、交互に働く２つの吸着剤ボトルを具備し、これらは、一方が吸着段階にある間は他方が向流脱着又は再生の段階にある。この再生段階中に使用される再生ガスは、乾燥しており且つ二酸化炭素を含まないものでなければならない；
・一般には、一酸化炭素及び水素（並びに任意にこの２つの混合物）を、消費者によって要求される流量及び純度で製造するための低温プロセス（コールドボックスにおける）による低温処理からなる分離工程。分離工程の間、テールガスが生ずる。それらは、消費者に送達される製品において望まれない成分を含むが、これらテールガス中に随伴される水素及び一酸化炭素の量もゼロではない。これは分離ユニットの効率を損なわせる；
である。
【０００３】
通常、この分離は、液体メタンで洗浄することにより行われ、おそらくは９９％までの収率の純粋な一酸化炭素、一酸化炭素含有量が一般的に数ｐｐｍ乃至１％で異なる水素、及び燃料として使用するメタンリッチの廃ガスを得ることとを可能にする。
【０００４】
他の解決策は、特には、合成ガスの流れを部分的に濃縮させ、純粋な一酸化炭素及び純粋な水素を、フラッシュガス及び、メタンパージガスとも呼ばれ、実質的にＣＯ及びＣＨ4からなる低圧廃ガスと共に製造することにある。炭化水素原料の窒素含有量が高すぎる場合には、製造したＣＯを脱窒素するための極低温工程を追加する必要がある。
【０００５】
このタイプのプロセスは、欧州特許出願公開第３５９６２９号に記載されている。
【０００６】
収率及び収量を向上させると共に、一酸化炭素及び／又は水素製造ユニットの操作及び投資の両方の費用を低減することが、変わらぬ関心事である。
【０００７】
例えば、欧州特許公開第７９０２１２号は、残留メタンで富化されたフラクションを供給流体に再循環させて、製造したＣＯモル当たりの炭化水素の比消費量を低減させるプロセスを記載している。
【０００８】
さらに、ストリッピングユニットの再生は、乾燥しており且つ二酸化炭素を含まないものでなければならないガスを使用する。
【０００９】
多くの場合、コールドボックスによって製造された水素（１ｍｏｌ％以下のＣＯを含む）は、ストリッピング再生ガスとして使用され、その後、最終消費者に運ばれる前に、吸着剤をベースとする（ＰＳＡ）精製ユニットに送られる。
【００１０】
しかしながら、このコールドボックスが消費者の純度規格を満たす水素を直接製造することを目的として設計されている場合、製品の一部を取り出し且つ装置の水素収率を低減させることを除いては、このガスを再生ガスとして使用することはできない。
【００１１】
５０％の水素を一般に含む一酸化炭素−水素混合物を製造する場合においても、廃ガスとして残留する水素の量は、ストリッピングユニットを再生するには少な過ぎるので、再生ガスとして他のガスを探す必要がある。
【００１２】
それゆえに、知られている解決策は、追加量の水素を製造することにあり、この水素を、ストリッピング再生ガスとして使用し且つ最終的には燃料として利用する。
【００１３】
欧州特許出願公開第１５０３９５３号は、水素リッチのガスを、ストリッピングユニットにおける再生ガスとして使用した後、脱二酸化炭素ユニットの上流で合成ガスに再循環させるプロセスを記載している。
【００１４】
さらに、上で述べたように、消費者によって要求された純度規格を満たすために、コールドボックスによってつくり出された一酸化炭素製品から、存在する不純物の一部を除去することが必要であり得る。これは、コールドボックスの出口において、一酸化炭素が、合成ガス中にその成分として存在する窒素及びアルゴンをも含み、これらはＣＯの性質に非常に近い物理化学的性質を持っており、合成ガスの他の成分に対して使用される分離手段によってはＣＯから分離することができないからである。これら気体不純物は、一般には不活性ガスとして振舞うが、それらが存在すること、又は、ましてやそれらが蓄積することは、装置の大型化を必要とする、エネルギー消費を増加させるなど、最良の場合であっても問題がある。
【００１５】
したがって、特に、一酸化炭素が酢酸の合成を含む所定の合成用の出発物質として使用される場合に、また、出発の炭化水素が窒素に富む場合にも、コールドボックスによって製造された一酸化炭素製品中の窒素含有量を低減させることがしばしば必要である。同様に、部分酸化工程又は自熱改質工程の場合に、特に酸素から来るアルゴン含有量を低減させることが必要であり得る。
【００１６】
それゆえに、窒素を除去する既知の解決策は、分離ユニット（コールドボックス）に、分離ユニットによって製造された一酸化炭素中に含まれる窒素（又はアルゴン）のいくらかを取り除くように意図された脱窒素塔（又はアルゴンを除去する塔）を取り付け、窒素（アルゴン）含有量を消費者の規格に合わせることにある；しかしながら、この解決策は、操作及び投資の費用の面で非常に高価である。
【００１７】
本発明に従う方法は、分離ユニットによってつくり出された一酸化炭素製品中の窒素含有量及びアルゴン含有量を低減させることを可能にする。こうすることによって、ＣＯ製品を脱窒素する必要性は小さくなるであろうし、又は、脱窒素工程は省略されもし得る。同じことがアルゴンにも該当する。
【００１８】
本発明に従う方法の他の利点は、水素収率を低減させることなく、分離中に製造される水素を乾燥工程用の再生ガスとして使用することを可能にすることと、続いての精製工程（特には圧力スウィング吸着、すなわちＰＳＡによる）を行わずとも、この使用を可能にすることとにある。
【００１９】
本発明の他の利点は、製造装置で利用可能な様々な圧縮機を最適に使用することによって、それらの数を最小にし、装置の信頼性を向上させ且つ費用を最小にすることを可能にすることにある。
【００２０】
本発明の１つの主題に従うと、炭化水素原料から水素及び一酸化炭素を同時に製造する方法であって、
ａ）主に水素と一酸化炭素とを含むが、メタンと、二酸化炭素と、水と、窒素及びアルゴンから選択される少なくとも１種の不純物とをも含む合成ガス、例えば炭化水素改質ガスを生成する工程と、
ｂ）一次脱二酸化炭素ユニットにおいて、工程ａ）からの合成ガスから二酸化炭素を取り除き、二酸化炭素の流れと、二酸化炭素含有量が低減された合成ガスを含む流れとを形成する工程と、
ｃ）工程ｂ）からの合成ガス中に含まれる水及び残留二酸化炭素を、前記ガスを吸着剤床上に通すことによって除去する工程と、
ｄ）残った成分を分離して、少なくとも
ｉ）水素製品ガスの流れと、
ｉｉ）窒素及びアルゴンから選択される少なくとも１種の不純物を更に含む一酸化炭素製品ガスの流れと、
iii）メタンリッチのパージガスの流れと、
ｉｖ）水素、ＣＯ及びメタンを含むフラッシュガスの流れと
を形成する工程と
を含み、
以下の工程：
ｅ）工程ｃ）の吸着剤床を、少なくともゼロでない割合の水素リッチの流れｉ）を含む再生ガスを通すことによって再生する工程と、
ｆ）工程ａ）に供給するために、工程ｄ）からの流れiii）及びｉｖ）を再循環させる工程と
を更に含むことを特徴とする方法が提案される。
【００２１】
他の任意の観点に従うと、本発明は、
−流れｉ）の全て又は一部を再生ガスとして使用し、続いてこの流れの全てを、消費者のための純粋な水素の流れと、ＰＳＡテールガスとを製造するために、ＰＳＡ精製ユニットで精製する方法、
−ＰＳＡテールガスを、ガス流れiii）及びｉｖ）に添加して、工程ａ）に供給するために再循環させる方法、
−流れｉ）を、消費者製品を構成する第１の部分と工程ｅ）を行うために使用される第２の部分との少なくとも２つの部分に分け、続いて、前記第２の部分を工程ａ）に供給するために再循環させることを更に特徴とする方法、
−工程ｂ）において製造された二酸化炭素の全て又は一部をも、工程ａ）用の供給原料に再循環させることを特徴とする方法、
−導入された（importe）二酸化炭素を、工程ａ）に更に供給することを特徴とする方法、
−低い窒素含有量を有する一酸化炭素流れを製造する方法であって、工程ｄ）が脱窒素工程を含まないことを特徴とする方法、
−１．１％未満の窒素含有量を有する一酸化炭素の流れを、１乃至１．５％の窒素含有量を有する天然ガスから構成される炭化水素原料から製造する方法、及び
−一酸化炭素を酢酸又はポリカーボネートに変換する１つ以上の工程を更に含む方法
に関し得る。
【００２２】
本発明の他の主題に従うと、水素及び一酸化炭素を同時に製造する装置であって、
−炭化水素供給源と、
−合成ガス生成ユニットと、
−合成ガス一次脱二酸化炭素ユニットと、
−乾燥／二次脱二酸化炭素ユニットと、
−少なくとも、気体水素製品の流れ、気体一酸化炭素製品の流れ、パージガスの流れ及びフラッシュの流れに分離する分離ユニットとを、
−炭化水素供給源及び合成ガス生成ユニットをつなぐライン、合成ガス生成ユニットを一次脱二酸化炭素ユニットにつなぐライン、一次脱二酸化炭素ユニットを乾燥ユニットにつなぐライン及び乾燥ユニットを分離ユニットにつなぐライン、並びに
−水素及び一酸化炭素を製品として取り出す手段
と共に具備し、
気体水素製品の流れｉ）のゼロでない部分を乾燥／二次脱二酸化炭素ユニットに送るラインと、パージガスの流れiii）及びフラッシュガスｉｖ)の流れをそれぞれ合成ガス生成ユニット用の供給原料に送る各ラインとを含むことを特徴とする装置が提供される。
【００２３】
この装置は、上で定義した方法の何れか１つを実行するために適合され得る又は構成され得る。
【００２４】
合成ガス生成ユニットが、天然ガス又は軽質炭化水素の供給源から原料を供給され、且つ、少なくとも水素化脱硫ユニットと、事前改質ユニットと、水蒸気改質ユニットとを具備する場合、前記装置は、分離ユニットから来る複数の流れのうち、一酸化炭素の流れを除いた少なくとも１つの流れのゼロではない部分を送るラインであって、脱硫ユニット及び／又は事前改質ユニット及び／又は改質ユニットに原料を供給するためラインを含む。
【００２５】
この設備は、例えば、以下の手段の全て又はいくつかを含み得る：
−脱二酸化炭素ユニットからの二酸化炭素富化ガス及び／又は導入された二酸化炭素の少なくとも一部を圧縮して合成ガス生成ユニットに供給するための、合成ガス生成ユニットに供給される脱二酸化炭素ユニットからの二酸化炭素富化ガス及び／又は導入される二酸化炭素の少なくとも一部を圧縮する少なくとも１つの圧縮手段、及び、再循環された流れの全て又は一部を前記圧縮手段に送る少なくとも１つのライン；
−合成ガス生成ユニットの水素化脱硫ユニットに供給される水素を圧縮するための、合成ガス生成ユニットの脱硫ユニットに供給される水素を圧縮する少なくとも１つの圧縮手段、及び、再循環された流れの全て又はいくらかを前記圧縮手段の入口に送る少なくとも１つのライン；並びに
−合成ガス生成ユニットに供給される気体の炭化水素を圧縮するための、合成ガス生成ユニットに供給される気体の炭化水素を圧縮する少なくとも１つの圧縮手段、及び、再循環された流れの全て又は一部を圧縮手段の入口に送る少なくとも１つのライン。
【００２６】
この装置は、分離ユニット又は精製ユニットによって製造された水素製品を圧縮する少なくとも１つの圧縮手段、圧縮後に水素製品の流れの一部を取り出す手段、及び、前記一部を合成ガス生成ユニットに送るラインをも含み得る。
【００２７】
ここで、本発明の方法を実施する方法を図示した以下の図面を参照しながら、本発明を説明する。
【００２８】
図１乃至４は、本発明に従ってガスの流れを再循環しながら、合成ガスを生成及び分離する装置を概略的に示している。
【００２９】
図１は、本発明を実施する１つの方法であって、コールドボックスにおいて製造された水素を、次いで、ＰＳＡ装置において精製する方法を図示している。再循環された流れは、合成ガス生成ユニットに供給される前に、ＣＯ2圧縮機によって圧縮される。
【００３０】
図２乃至４は、本発明の代わりの形態を示しており、ここでは、コールドボックスによって製造された水素が消費者の要求に適した純度を有する。製造された水素のゼロではない部分が取り出されて、パージガス及びフラッシュガスとともに再循環される前に、再生ガスとして使用される。
【００３１】
図２に示された実施方法に従うと、これらガスは、ＣＯ2圧縮機を介して再循環される。
【００３２】
図３に示された実施方法に従うと、これらガスは、専用の水素圧縮機を介して、水素化脱硫（ＨＤＳ）ユニットに再循環される。
【００３３】
図４に示された実施方法に従うと、これらガスは、合成ガス生成ユニットに供給される炭化水素原料に再循環される。
【００３４】
本発明がこれら実施方法に限定されないことを理解されたい。当業者は、特には、これら実施方法において図示された生成、処理及び再循環の技術の代わりのバージョンを考え出すことができる。
【００３５】
図１では、炭化水素（例えば、天然ガス）の流れ１を合成ガス生成ユニット２に供給し、ユニット２において生成された合成ガスの流れ３をアミン洗浄ユニット４に通して二酸化炭素を除去し、この二酸化炭素をガス流５によって回収する。次に、ストリッピングユニット７において、脱二酸化炭素された合成ガス６から水及び残留ＣＯ2を除去して、ガス流８を製造する。このガス流８は、水素、一酸化炭素及びメタンとを含み、これらと共に、天然ガス中又はユニット２に供給された他の流体（図示せず）に最初から存在していた窒素及びアルゴンを含む。
【００３６】
次に、このガス流を低温分離ユニット９において分離して、一酸化炭素リッチ（典型的に９９％）の気体製品１０と、水素リッチのガス１１と、メタンパージ１２と、フラッシュガス１３とを製造する。
【００３７】
消費者の要求に対して不十分な純度を有するガス１１は、精製工程を受けねばならない。この工程に先立って、ガス１１を、ユニット７用の再生ガスとして複数の吸着剤床の１つを再生させるのに使用される部分１１ａと、バイパス部分１１ｂとに分ける。部分１１ａは、実質的に水分を含んでいるが、ＣＯ2も含んでいる。次に、これら２つの部分を合わせて、合わさった流れをＰＳＡ（圧力スウィング吸着）ユニット１４に送り、精製された水素の流れ１５（典型的に９９％以上の純度を有する）とＰＳＡテールガス１６とを送達する。
【００３８】
ＣＯ2の流れ１７をこの装置内に導入し、合成ガス生成ユニット２に供給する前に圧縮機１８において圧縮する。
【００３９】
メタンパージ１２と、フラッシュガス１３と、ＰＳＡテールガス１６と、脱二酸化炭素ユニットからのＣＯ2５とを、ユニット２に向けて再循環させ、流れ１７と共に送って圧縮機１８に供給し、そこでこれらを合成ガス生成ユニット２に供給する前に圧縮する。
【００４０】
変形として又は更に、合成ガスの生成が改質（おそらくは事前改質）の前に水素化脱硫工程を含む場合には、水素の流れ１５の一部分（図において１５ａと参照番号が付けられた破線）が水素化脱硫ユニット（ユニット２において２ａと参照番号が付けられた破線）内に送られ得る。
【００４１】
図２では、図１での番号と同じ参照番号を有する流れ及び装置の構成要素は、図１に示された流れ及び構成要素に対応する。従って、炭化水素の流れ１を合成ガス生成ユニット２に供給し、ユニット２で生成された合成ガスの流れ３をアミン洗浄ユニット４に通して二酸化炭素を除去し、この二酸化炭素をガス流５により回収する。次に、ストリッピングユニット７において、脱二酸化炭素された合成ガス６から水と残留ＣＯ2とを除去して、ガス流８を製造する。このガス流８は、水素と、一酸化炭素と、メタンとを含み、これらと共に、天然ガス中又はユニット２に供給された他の流体（図示せず）に最初から存在していた窒素及びアルゴンを含む。
【００４２】
次に、ガス流８を低温分離ユニット１９において分離し、一酸化炭素リッチ（典型的には９９％）の気体製品２０と、水素リッチのガス２１と、メタンパージ２２と、フラッシュガス２３とを製造する。
【００４３】
この例では、ガス２１は、消費者の要求に対して十分な水素純度を有しており、追加の精製工程を加える必要がない。この水素の一部を取り出して、メタンパージ２２及びフラッシュガス２３と合わせて、再生ガスとしてユニット７に送られるガス流２４（破線で示したバイパスを含む）を形成する。
【００４４】
ＣＯ2の流れ１７を、この装置に導入し、合成ガス生成ユニット２に供給する前に圧縮機１８において圧縮する。
【００４５】
再生後、ガス２４及び脱二酸化炭素ユニットからのＣＯ2の流れ５を合わせ、装置２に向けて再循環させ、流れ１７と共に圧縮機１８の供給原料に送り、合成ガス生成装置２に供給する前に圧縮する。
【００４６】
図３では、図１又は図２の番号と同じ参照番号を有する流れ及び装置の構成要素は、これらの図に示された流れ及び構成要素に対応する。
【００４７】
図２の場合と同様に、ガス２１は、続いての精製工程なしに消費者に直接販売するのに十分な水素純度を有する。この水素の一部を取り出し、メタンパージ２２及びフラッシュガス２３と合わせて、再生ガスとしてユニット７に送られるガス流２４を形成する（バイパスは破線で示されている）。
【００４８】
図３では、再生後、ガス２４を、事前に水素化脱硫工程を行って合成ガスの生成が行われるユニット２に再循環させる。再生のために使用されるガス２４を（バイパスと合わせて）、ユニット２のＨＤＳモジュールに供給される水素を圧縮するための水素圧縮機３０の供給原料に送ることが選択される。
【００４９】
この水素は、様々な供給源から由来し得る。例えば、変形として又は更に、水素製品の流れ２１の第２部分（図において参照番号をふっていない破線）が、圧縮機３０を介して、水素化脱硫装置に送られ得る。他の変形（図示せず）に従うと、いくらかの水素が、水素製品の圧縮専用の圧縮機において圧縮された後、流れ２１において取り出され得る。この場合、水素圧力が十分であれば、それは追加の圧縮なしにＨＤＳユニットに供給され得る。水素の流れ３１は、任意にこの装置に導入され、合成ガス生成ユニット２に供給される前に、圧縮機３０において圧縮される（要求に応じて）。
【００５０】
この装置の様々な圧縮オプションを適切に使用する又は適応させることにより、圧縮費用が最小化されるべきである。
【００５１】
図４では、図１、図２又は図３の番号と同じ参照番号を有する流れ及び設備の構成要素は、これら図で示された流れ及び構成要素に対応する。
【００５２】
図２及び３と同様に、流れ２１は、続いての精製なしに消費者に直接販売するのに十分な水素純度を有する。この水素の一部分を取り出し、メタンパージ２２及びフラッシュガス２３と合わせ、再生ガスとしてユニット７に送られるガス流２４（破線で示されたバイパスを含む）を形成する。
【００５３】
図４では、再生後、ガス２４を、炭化水素原料１への補充として、存在している原料圧縮機３２の上流で、ユニット２内に向けて再循環させる。
【００５４】
変形として、原料１が原料圧縮機を使用する必要なしに十分な圧力で入手可能な場合には、流れ２１を原料の補充として使用するために、専用の圧縮機を使用するか、又は、製品圧縮機の後に、水素を流れ２１において取り出すことが必要であろう。
【００５５】
従って、前の例で図示したように、低温分離ユニットによって製造された流れを使用して、様々な方法で合成ガス生成工程に供給することができる。それらは、原料として、炭化水素原料の部分的な代替物として、水素として、脱硫水素の部分的な代替物として、及び／又は、ＣＯ2として使用され得る。
【００５６】
本発明に従う方法の利用法に拘らず、これら再循環された流れは、合成ガス生成ユニットに原料を供給するのに貢献する。それらは、窒素、ヘリウム及び他の不活性ガスを含まないので、これら成分の含有量を低減させながら、生成された合成ガスの組成を変更する。
【００５７】
本発明に従う方法の利点は非常に多く、特には：
−一酸化炭素製品中の不活性ガス（特には、窒素又はアルゴン）の含有量を最小にできること。この点は常に有益であるが、供給ガス中の不活性ガスの含有量が、副産物ガスの流れをＣＯと同時に再循環させずに消費者規格を満足するのに、１種以上の不活性ガスをＣＯから分離するための追加の工程を使用することを必要とするようなものである場合には、特に有益であろう；
−製造されたＣＯ以外の炭素含有分子の全てを生成工程用の供給原料中に再循環させながら、ＣＯ生産量を増加させること；
−Ｈ2及びＣＯの製造収率を増加させること；
−合成ガス生成ユニットの燃料収支を不均衡にさせること（可燃ガスとして燃焼されるために一般的に再循環されるオフガス及び廃ガスの代わりに、燃料としての天然ガスの部分を増加させることによって）；
−バーナーに送られる熱量を低減させること；
−バーナーの火炎温度を低下させること；
−水素製品を、分離中に、乾燥工程用の再生ガスとして、水素収率を低下させること無く使用することが可能であり、この使用がその後の水素製品を精製する工程なしに可能であること；
−合成ガスを生成する装置の寸法を最小化すること；及び
−反応装置からの産出物として製造されたガスのＨ2／ＣＯ比を調節すること
が挙げられ得る。
【００５８】
本発明の他の利点は、実際に、いくつかの流体を圧縮するために共通の圧縮機を使用すると共に、プラント上にある様々な圧縮機を最適に使用することによって得られる。これは、費用を最小にすると共に、この装置の信頼性を向上させることを可能にする。これらの利点の中で、以下に気付かれたい：
−機械の数が最小になる；
−遠心圧縮機を、１つ以上の往復圧縮機又はピストン圧縮機の代わりに使用することができる；
−ラインの数が減る；及び
−ユニットにおける圧縮ガス導入点の数が制限される。
【図面の簡単な説明】
【００５９】
【図１】本発明に従ってガスの流れを再循環しながら、合成ガスを生成及び分離する装置を概略的に示した図。
【図２】本発明に従ってガスの流れを再循環しながら、合成ガスを生成及び分離する装置を概略的に示した図。
【図３】本発明に従ってガスの流れを再循環しながら、合成ガスを生成及び分離する装置を概略的に示した図。
【図４】本発明に従ってガスの流れを再循環しながら、合成ガスを生成及び分離する装置を概略的に示した図。
【図１】
2008542188.tif 000003
【図２】
2008542188.tif 000004
【図３】
2008542188.tif 000005
【図４】
2008542188.tif 000006
【国際調査報告】
2008542188.tif 000007
2008542188.tif 000008
2008542188.tif 000009
2008542188.tif 000010
2008542188.tif 000011
2008542188.tif 000012